(57)【要約】【課題】強撚糸をパイルに用いたタイルカーペットの施工面での目地溝を、そのパイルの強撚形態を損なうことなく解消する。【解決手段】獣毛繊維を主材とする複数本の強撚単糸１１Ａ・１１Ｂ・１１Ｃを合撚してパイル糸１２とし、そのパイル糸によってカットパイル１３を形成したパイル布帛の裏面に裏打層１４を積層し、所要の形状に裁断してタイルカーペット１５を形成し、その後、パイル面を加湿加熱してカットパイル１３に解撚トルクを発生させて仕上げる。加湿加熱によって強撚単糸間１１・１１の結束状態がフリーになり、そのパイル片１８の先端が不規則に向きを変え、パイル面が拡がって周縁のパイル片の先端２０がタイルカーペット１５の外側へと食み出し、周縁において切除された短パイル片２８・３８が先端２０の切除されない長パイル片１８の下に覆い隠される。【選択図】図２
2005329118.tif 000002
【特許請求の範囲】
【請求項１】
獣毛繊維を主材とする複数本の強撚単糸（１１Ａ・１１Ｂ・１１Ｃ）を合撚してパイル糸（１２）とし、そのパイル糸によってカットパイル（１３）を形成したパイル布帛の裏面に裏打層（１４）を積層し、所要の形状に裁断してタイルカーペット（１５）を形成し、その後、パイル面を加湿加熱してカットパイル（１３）に解撚トルクを発生させるタイルカーペット仕上法。
【請求項２】
パイルの根元（１６）を裏面に露出させてパイル布帛を形成し、その裏面に起毛処理を施して獣毛繊維によるフエルト層（１７）を形成し、その後に裏打層（１４）を積層する前掲請求項１に記載のタイルカーペット仕上法。
【請求項３】
パイル糸を構成する複数本の強撚単糸（１１Ａ・１１Ｂ・１１Ｃ）の中の少なくとも１本の強撚単糸に熱融着性繊維を混用し、その熱融着性繊維を獣毛繊維に融着させてパイル糸（１２）を構成する前掲請求項１と２の何れかに記載のタイルカーペット仕上法。
【発明の詳細な説明】
【技術分野】
【０００１】
本発明は、パイル布帛の裏面に裏打層を積層して成るタイルカーペットに関するものである。
【背景技術】
【０００２】
強撚糸をパイル糸に用いることは公知であり、本発明者は、下撚と上撚が同方向の強撚単糸と熱融着性繊維混用単糸を合撚したパイル糸（例えば、特許文献１参照）、および、下撚と上撚が同方向であり、熱融着性繊維を有する強撚糸に成るパイル糸を発明して特許公報に開示している（例えば、特許文献２参照）。
合成繊維マルチフィラメント捲縮糸をパイル糸とするタフテッドパイル布帛の裏面に裏打層を積層して所要の形状に裁断したタイルカーペットを加湿加熱してパイルを脹らませることによって、施工面において隣合うタイルカーペットの周縁と周縁の間に生じる突合目地の隙間・溝を解消することは公知である（例えば、特許文献３参照）。
【特許文献１】特開２００２−２２７０５６号公報（特許第３４２５６６８号）
【特許文献２】特開２０００−０７０１０４号公報（特許第３０５１８４６号）
【特許文献３】特開２００４−０８１２８３号公報
【発明の開示】
【発明が解決しようとする課題】
【０００３】
パイル布帛を用いたタイルカーペットでは、その周縁の裁断口においてパイルの先端が切除され、それを突き合わせて施工したタイルカーペットとタイルカーペットの間に、その切除された分だけパイル層の繊維嵩密度が粗くなった隙間・溝（以下、目地溝と言う。）が出来易い。
【０００４】
上記特許文献３では、パイルを構成している繊維を捲縮させ、パイルを嵩高に脹らませて目地溝を目立ち難くしようとするものであるが、その方法を強撚糸をパイルに用いたタイルカーペットに適用しようとしても、撚山がセット固定された強撚糸においては、繊維の捲縮性が抑えられていて嵩高に脹らませることが出来ず、撚山がセット固定されていない強撚糸では、それをカットしてカットパイルとする際に解撚トルクが作用すると共に、その構成する繊維が捲縮して嵩高に脹らむときは、その解撚トルクが更に作用して撚山が崩解するので、強撚糸をパイルに用いる意味がなくなる。
【０００５】
そこで本発明は、強撚糸をパイルに用いたタイルカーペットの目地溝を、そのパイルの強撚形態を損なうことなく解消することを目的とする。
【課題を解決するための手段】
【０００６】
本発明に係るタイルカーペット仕上法は、羊毛繊維を始めとするカシミヤ、アルパカ等の動物繊維（以下、本発明では獣毛繊維と総称する。）を主材とする複数本の強撚単糸１１Ａ・１１Ｂ・１１Ｃを合撚してパイル糸１２とし、そのパイル糸によってカットパイル１３を形成したパイル布帛の裏面に裏打層１４を積層し、所要の形状に裁断してタイルカーペット１５を形成し、その後、パイル面を加湿加熱してカットパイル１３に解撚トルクを発生させてタイルカーペットを仕上げることを第１の特徴とする。
【０００７】
本発明に係るタイルカーペット仕上法の第２の特徴は、上記第１の特徴に加えて、パイルの根元１６を裏面に露出させてパイル布帛を形成し、その裏面に起毛処理を施して獣毛繊維によるフエルト層１７を形成し、その後に裏打層１４を積層する点にある。
【０００８】
本発明に係るタイルカーペット仕上法の第３の特徴は、上記第１と第２の何れかの特徴に加えて、パイル糸を構成する複数本の強撚単糸１１Ａ・１１Ｂ・１１Ｃの中の少なくとも１本の強撚単糸に熱融着性繊維を混用し、その熱融着性繊維を獣毛繊維に融着させてパイル糸１２を構成する点にある。
【発明の効果】
【０００９】
本発明（請求項１）によると、加湿加熱によって獣毛繊維が吸湿膨潤し、又、その水素結合が解離して繊維高分子構造が一時的に崩壊するので、強撚セットされた強撚単糸間１１・１１の結束状態がフリーになり、強撚糸（カットパイル）１２が解撚し、強撚単糸１１の構成するパイル片１８の先端が不規則に向きを変え、パイル布帛の基布（ベース）１９からパイル面（表面）までのパイル層の厚みが縮まり、その分だけパイル面が拡がって周縁のパイル片の先端２０がタイルカーペット１５の外側へと食み出し、周縁において裏打層１４と共に先端の切除された短パイル片２８・３８が先端２０の切除されない長パイル片１８の下に覆い隠される。このため、裁断口である裏打層の周縁を突き合わせて施工するとき、パイル面に目地溝が出来ず、パイル片の先端が不規則に向きを変えて形成する細かい凹凸が施工面の全面に連続し、恰も強撚パイル布帛を裁断せずに施工したかの如き観を呈するタイルカーペットが得られる。
【００１０】
本発明（請求項２）によると、隣合うカットパイル１３・１３の繊維２１が、パイル布帛の裏面において絡み合っているので、裁断口（周縁）からカットパイル１３が解れ出し難く、又、その絡み合う繊維２１が平滑なフエルト層１７を形成しているので、厚い裏打層を積層する必要がなく、軽量で取扱い易く、耐久性に優れたタイルカーペットが得られる。
【００１１】
本発明（請求項３）によると、熱融着性繊維が獣毛繊維に融着しているので、加湿加熱によって強撚単糸１１の強撚状態が解消されることなく、個々のパイル片の先端２０が解毛することなく強撚単糸としての纏まった状態を維持し、耐摩耗性に優れたタイルカーペットが得られる。
【発明を実施するための最良の形態】
【００１２】
パイル面の加湿加熱によってカットパイル１３に解撚トルクが発生するが、その解撚作用は先づカットパイル１３を構成する複数本の強撚単糸間１１・１１に生じ、各強撚単糸（パイル片）１１を構成する獣毛繊維間での解撚作用は、カットパイル（強撚糸）１３が解撚して複数本の強撚単糸１１に分かれてから生じる。従って、カットパイル１３を構成する複数個のパイル片１８が強撚状態を維持し、それによる細かい凹凸をパイル面に形成されるようにするには、強撚単糸（パイル片）が解撚して嵩高に開毛しない程度に加湿加熱することになるが、本発明を効果的に実施するためには、上記のように熱融着性繊維を強撚単糸１１に混用し、或いは、獣毛繊維の水素結合以外の分子結合（例えば、シスチン結合）を一時的に解消する化学的処理を強撚単糸１１に施し、パイル面の加湿加熱処理においては、強撚糸（カットパイル）１２だけが複数本の強撚単糸（パイル片）１１に分離するようにする。熱融着性繊維は、熱融着性ポリマーだけで構成されたものでも、高融点ポリマーを芯とし熱融着性ポリマーを鞘とする芯鞘複合構造を成すものでもよい。
【００１３】
強撚単糸（パイル片）を解撚することなく、強撚糸（カットパイル）だけを解撚して複数本の強撚単糸（パイル片）１１に分離するようにするには、前記特許文献１と２に開示されているように、強撚単糸に加える下撚の加撚方向と、その複数本の強撚単糸を合撚するための上撚の加撚方向を同じ方向にし、その合撚糸の撚山２２を固定セットしてパイル糸を調製してもよい。
【００１４】
強撚単糸（パイル片）の繊度は２〜７メートル番手とし、その撚数は１５０回／ｍ以上にする。強撚糸（カットパイル）の撚数は、それを解撚したとき、その撚山２２の凹凸が強撚単糸に残る程度であればよく、概して強撚単糸の撚数（下撚）と同程度またはそれ以下にすればよい。
【００１５】
本発明において「獣毛繊維を主材とする」とは、強撚単糸の７０重量％以上を獣毛繊維が占め、その強撚状態を維持し、或いは、タイルカーペットに制電性や防炎性等を付与するためには、熱融着性繊維や導電性繊維、防炎性繊維等をパイル糸全体の３０重量％以下となる混用率をもって混用し得ることを意味する。
【００１６】
パイル布帛は、タフテッド機、パイル織機、パイル編機の何れによっても形成することが出来るが、その裏面を起毛してフエルト層１７を形成する場合には、パイル織機またはパイル編機によって基布と同時にパイルを形成するとよく、更に好ましくは、ダブルフェースパイル織機（ダブルウイルトン、ダブルモケット）やダブルラッシェル経編機によってパイル布帛を上下二重に織編し、それをセンターカットして２枚のパイル布帛に分離する前に基布１９の外面に露出しているパイル糸（強撚糸）を起毛する。
その起毛は、針布（起毛）ロール、ニードルパンチング、ウォーターパンチング（高圧液流）、タンブラー等によって行うことが出来る。
【００１７】
裏打層１４の積層は、接着剤や塩ビ・ゾル組成物その他の接着性液状樹脂組成物の塗布、熱融着性樹脂の溶融塗布、或いは、発泡シート、フエルト、ゴムシート等のベースシートの貼り合わせによって行われる。
【図面の簡単な説明】
【００１８】
【図１】本発明に係る仕上前のタイルカーペットの側面断面図であり、一部を円で囲んで拡大して図示している。
【図２】本発明に係る仕上後のタイルカーペットの側面断面図であり、一部を円で囲んで拡大して図示している。
【符号の説明】
【００１９】
１１：強撚単糸
１２：パイル糸（強撚糸）
１３：カットパイル
１４：裏打層
１５：タイルカーペット
１６：根元
１７：フエルト層
１８：パイル片（長パイル片）
１９：基布
２０：パイル片の先端
２１：繊維
２２：撚山
２８：短パイル片
３８：短パイル片
【図１】
2005329118.tif 000003
【図２】
2005329118.tif 000004